(57)【要約】【課題】ソケットを取付ける前の状態において、逆止弁が管本体から脱落することを防止でき、かつ小型の逆止弁の場合にも確実に固定できる。【解決手段】水栓のサプライ管を建物の被固定部に固定するための脚管と、給水配管との間に介在され、逆止弁６を一端側から収容可能、かつ、他端側への移動を規制する受け面１３４を有するソケット本体１１と、ソケット本体１１に着脱可能に設けられ、逆止弁６の一端側への移動を規制する第１リング部材７と、を備え、第１リング部材７は、少なくとも一部が開口したリング部材であり、ソケット本体１１の内周面には、第１リング部材７の外周部７ａが嵌合する円周溝１３２が全周にわたって形成され、ソケット本体１１のソケット軸Ｏ方向から見て第１リング部材７の内周部７ｂの少なくとも一部が逆止弁６に重なって配置される構成の水栓用の逆止弁内蔵給水管を提案する。【選択図】図３
2020007790.tif 000002
【特許請求の範囲】
【請求項１】
水栓用の逆止弁内蔵給水管であって、
逆止弁を一端側から収容可能、かつ、他端側への移動を規制する受け部を有する管本体と、
前記管本体に着脱可能に設けられ、前記逆止弁の前記一端側からの脱落を規制する規制部材と、
を備えていることを特徴とする水栓用の逆止弁内蔵給水管。
【請求項２】
前記管本体の内周面には、前記規制部材の外周部が嵌合する円周溝が形成される請求項１に記載の水栓用の逆止弁内蔵給水管。
【請求項３】
前記規制部材は、少なくとも一部が開口したリング部材である請求項２に記載の水栓用の逆止弁内蔵給水管。
【請求項４】
前記規制部材は、
前記円周溝に嵌合される外周リングと、
前記外周リングの内側に連結片を介して一体的に設けられた内周リングと、を備え、
前記内周リングは、前記管本体の管軸方向から見て前記逆止弁に重なって配置される請求項２又は３に記載の水栓用の逆止弁内蔵給水管。
【請求項５】
前記管本体の前記一端側の開口部の内径は、前記逆止弁の収容部の内径よりも大きい請求項１乃至４のいずれか１項に記載の水栓用の逆止弁内蔵給水管。
【請求項６】
前記管本体の前記一端側の開口部の内径は、前記逆止弁の収容部に収容前の前記逆止弁に設けられるＯリングの外径よりも大きい請求項１乃至５のいずれか１項に記載の水栓用の逆止弁内蔵給水管。
【発明の詳細な説明】
【技術分野】
【０００１】
本発明は、水栓用の逆止弁内蔵給水管に関する。
【背景技術】
【０００２】
従来、シングルレバー式の混合水栓では、例えば特許文献１に示すような、逆止弁が内部に組み込またソケット（逆止弁ソケット）を脚管の下に備え、吐出側に送り出した水が逆流しないようにしている。このような逆止弁ソケットは、筒状のソケットの一端（下流側の端部）から逆止弁が挿入された状態で設けられる。ソケットの内側には、一端から挿入された逆止弁を支持する受け部が形成されていて、受け部によって組み込んだ逆止弁が他端側へ移動しないように規制されている。
【０００３】
混合水栓を建物に組み付ける際には、予め逆止弁がソケット内に挿入された状態で設置箇所に持ち込まれ、その逆止弁ソケットを建物の給水配管に接続する。このとき、逆止弁が挿入されている下流側端部を上に向けて接続する。その後、逆止弁ソケットの下流側端部に上方から脚管を接続して、その脚管に吐水管に繋がるサプライ管が接続される。
【先行技術文献】
【特許文献】
【０００４】
【特許文献１】特開２００４−１７６８７３号公報
【発明の概要】
【発明が解決しようとする課題】
【０００５】
しかしながら、従来の水栓用の逆止弁ソケットでは、逆止弁がソケットに対して固定されていない構造であり、施工により脚管がソケットに接続されたときに、接続された脚管によって上方から逆止弁が押さえられて固定される構造となっている。このように施工されることによってソケット内の逆止弁が固定されるが、施工前にソケットを運ぶ際等に逆止弁がソケットから脱落するおそれがあった。さらに、ソケットに対して小型の逆止弁を使用する場合には、脚管によって十分に固定できないという問題があった。
【０００６】
本発明は、上述する問題点に鑑みてなされたもので、取付け前の状態において、逆止弁が管本体から脱落することを防止でき、かつ小型の逆止弁の場合にも確実に固定できる水栓用の逆止弁内蔵給水管を提供することを目的とする。
【課題を解決するための手段】
【０００７】
上記目的を達成するため、本発明に係る水栓用の逆止弁内蔵給水管は、水栓用の逆止弁内蔵給水管であって、逆止弁を一端側から収容可能、かつ、他端側への移動を規制する受け部を有する管本体と、前記管本体に着脱可能に設けられ、前記逆止弁の前記一端側からの脱落を規制する規制部材と、を備えていることを特徴としている。
【０００８】
本発明によれば、管本体に収容される逆止弁の一端が受け部で支持され、他端が管本体に装着された規制部材によって支持された状態となる。つまり、本発明では、逆止弁内蔵給水管に対して脚管等の別の給水管を接続することなく、逆止弁内蔵給水管のみで規制部材によって逆止弁の両端側への移動を規制できる構成となっている。
このように逆止弁は管本体の一端側への移動が規制部材によって規制されているので、逆止弁内蔵給水管を組み付ける前の運搬時等で逆止弁が管本体から外れて脱落することを防止できる。
また、本発明では、従来のように脚管の端部によって逆止弁を押さえる構造ではないので、逆止弁の大きさに関わらず固定することが可能となり、例えば逆止弁が小型化しても確実に規制部材によって逆止弁の移動を規制した状態で固定することができる。
【０００９】
また、本発明に係る水栓用の逆止弁内蔵給水管は、前記管本体の内周面には、前記規制部材の外周部が嵌合する円周溝が形成されていることを特徴としてもよい。
【００１０】
この場合には、規制部材の外周部が管本体の円周溝に嵌合することにより、規制部材を管本体に固定することができる。そして、規制部材の外周部が円周溝に嵌合した状態において、内周部の少なくとも一部が逆止弁に重なることで逆止弁を固定することができる。
【００１１】
また、本発明に係る水栓用の逆止弁内蔵給水管は、前記規制部材は、少なくとも一部が開口したリング部材であることを特徴としてもよい。
【００１２】
この場合には、リング部材の外周部が管本体の円周溝に嵌合することにより、リング部材を管本体に固定することができる。そして、リング部材の外周部が円周溝に嵌合した状態において、内周部の少なくとも一部が逆止弁に重なることで逆止弁を固定することができる。
【００１３】
また、本発明に係る水栓用の逆止弁内蔵給水管は、前記規制部材は、前記円周溝に嵌合される外周リングと、前記外周リングの内側に連結片を介して一体的に設けられた内周リングと、を備え、前記内周リングは、前記管本体の管軸方向から見て前記逆止弁に重なって配置されることを特徴としてもよい。
【００１４】
この場合には、逆止弁を固定する内周リング以外の外周リングを用いて規制部材を管本体に固定することができる。外周リングと内周リングの２つのリングを別々に設けることで、逆止弁に重なる領域を小さくすることができる。そのため、逆止弁を通過する水の流路面積が規制部材によって減少することを抑えることができる。
【００１５】
また、本発明に係る水栓用の逆止弁内蔵給水管は、前記管本体の前記一端側の開口部の内径は、前記逆止弁の収容部の内径よりも大きいことを特徴としてもよい。
【００１６】
また、本発明に係る水栓用の逆止弁内蔵給水管は、前記管本体の前記一端側の開口部の内径は、前記逆止弁の収容部に収容前の前記逆止弁に設けられるＯリングの外径よりも大きいことを特徴としてもよい。
【００１７】
この場合には、逆止弁を開口部から管本体内に挿入する際に、逆止弁の外周部に設けられるＯリング等が管本体の開口部に接触して損傷することを防止することができる。
【発明の効果】
【００１８】
本発明の水栓用の逆止弁内蔵給水管によれば、取り付け前の状態において、逆止弁が管本体から脱落することを防止でき、かつ小型の逆止弁の場合にも確実に固定できる。
【図面の簡単な説明】
【００１９】
【図１】本発明の第１実施形態による逆止弁内蔵ソケットを備えた水栓の構成を示す側面図である。
【図２】逆止弁内蔵ソケットの分解斜視図である。
【図３】逆止弁内蔵ソケットをソケット軸を通る面で破断した縦断面斜視図である。
【図４】逆止弁内蔵ソケットの逆止弁収納部の構成を示す縦断面図である。
【図５】逆止弁内蔵ソケットをソケット軸方向で上方から見た平面図である。
【図６】逆止弁と第１リング部材の構成を示す斜視図であって、逆止弁内蔵ソケットのソケット本体を省略した図である。
【図７】図６に示す逆止弁と第１リング部材をソケット軸方向で上方から見た平面図である。
【図８】第１リング部材の斜視図である。
【図９】第２実施形態による逆止弁内蔵ソケットの逆止弁と第２リング部材の構成を示す斜視図であって、図６に対応する図である。
【図１０】図９に示す逆止弁と第２リング部材をソケット軸方向で上方から見た平面図である。
【図１１】第２実施形態による逆止弁内蔵ソケットをソケット軸方向で上方から見た平面図である。
【図１２】第２リング部材の斜視図である。
【発明を実施するための形態】
【００２０】
以下、本発明の一実施形態による水栓用の逆止弁内蔵給水管の一例について、図面に基づいて説明する。
【００２１】
（第１実施形態）
図１に示す本第１実施形態の水栓用の逆止弁内蔵ソケット１０（逆止弁内蔵給水管）は、洗面所、キッチンおよび浴室等のカウンター５（被固定部）の据え付け面５ａ（ここではカウンター５の上面に相当）に底板５０を介して取り付けられる２ホール仕様のシングルレバー式の混合水栓（水栓１）に適用されている。なお、図１では、２ホールのうち一方に設けられるサプライ管等を省略し、見やすくするためにカバー２０、カウンター５を仮想線（二点鎖線）で示した図になっている。
【００２２】
水栓１は、水栓本体２と、水栓本体２に水や湯を供給するためのサプライ管３（給水管）と、サプライ管３の上流端に接続されカウンター５（あるいは底板５０）に固定される脚管４と、を備えている。
水栓１には、水栓本体２の下部分と、サプライ管３及び脚管４のカウンター５上に露出する部分を覆うカバー２０が設けられている。
脚管４は、建屋側の配管（給水配管５１）に対して逆止弁内蔵ソケット１０を介して接続されている。
【００２３】
水栓本体２は、柱状をなし、下端が据え付け面５ａ上の底板５０に取り付けられている。水栓本体２の下部側面には２つの流入口２Ａ、２Ｂが形成され、流入口２Ａ、２Ｂのそれぞれにサプライ管３が接続されている。水栓本体２の上端には、水栓１の開栓と閉栓との切り替え、吐水量の調整、水温の調整などを行うハンドルレバー２１が設けられている。本実施形態による水栓１では、使用者がハンドルレバー２１の先端を上方に持ち上げることで吐水が開始され、その持ち上げる高さに応じて吐水量が調整される。また、本実施形態による水栓１では、湯（高温の水）と水（低温の水）との混合水が吐水され、使用者によるハンドルレバー２１の左右方向への操作量によって高温の水と低温の水との混合比率が調整され、混合水の温度が調整される。
【００２４】
水栓本体２には、高さ方向の中間部分の側面から側方に向けで突出するように吐水管２２が設けられている。吐水管２２の管内には、給水された水が流れる流路が形成され、この流路と連通する吐水口２２ａが形成されている。
【００２５】
サプライ管３は、下流端３ｂが接続された水栓本体２の流入口２Ａ、２Ｂから底板５０に沿って横方向に延びて上流端３ａ側で湾曲して下向きに延ばされている。上流端３ａ側の下向き部分が脚管４の上端４ａに上方から差し込まれて不図示のシール材を介して接続され、下流端３ｂが上述した水栓本体２の流入口２Ａ、２Ｂに不図示のシール材を介して接続されている。なお、サプライ管３は、脚管４に対して機械的な拘束力を相互に作用させる構成を利用した不図示の固定手段によって水圧によって上方に抜け出すことが防止されていることが好ましい。
【００２６】
脚管４は、外周に雄ねじ４２が形成され、カウンター５を貫通する取付孔５２に差し込まれると共に不図示のナットを螺合してカウンター５に固定されている。そして、建屋側の給水配管５１に接続されている。脚管４の上端には、据え付け面５ａ上に配置される底板５０の上面に係止させるためのフランジ４１を有している。脚管４は、上端部分でカウンター５に固定され、下側部分がカウンター５の下方に突出して不図示のナットによって締め込まれる。
【００２７】
底板５０は、薄板状をなし、カウンター５の据え付け面５ａ上に配置される。底板５０の長手方向に沿う側縁部には、カバー２０に形成される係止爪を係止させるための穴部を有する係止片５３が設けられている。
【００２８】
カバー２０は、カウンター５を正面から見たときに左右方向に長く延び、天壁が略平坦に形成された有頂筒状をなし、内側に収納空間を有している。カバー２０は、水栓本体２の流入口形成部２ａと、サプライ管３、脚管４の上端部分を上方から被せて収納するようにして底板５０に取り付けられる。つまり、水栓本体２の流入口形成部２ａよりも上方部分がカバー２０より上に突出した状態となる。
【００２９】
逆止弁内蔵ソケット１０は、図２〜図５に示すように、ソケット軸Ｏ（管軸）の一端１１ａ側（図の上側）から逆止弁６を収容可能、かつ、他端１１ｂ側への逆止弁６の移動を規制する受け面１３４（受け部）を有するソケット本体１１（管本体）と、ソケット本体１１における逆止弁６の一端側からソケット本体１１の内部に着脱可能に設けられ、逆止弁６の一端１１ａ側からの脱落を規制する第１リング部材７（規制部材）と、を備えている。
【００３０】
逆止弁６は、図１に示す給水配管５１からサプライ管３を介して水栓本体２に給水された水の逆流を防ぐ機能を有している。逆止弁６は、図４に示すように、弁ケース６１と、弁ケース６１の下方に設けられ弁座６２ａを有する弁座筒６２と、弁ケース６１の内側に配置され弁座６２ａに対して近接離反するように移動可能に収容された弁体６３と、を有している。
【００３１】
弁ケース６１は、図４及び図６に示すように、弁中心Ｃ回りに周回する周方向に沿って延びる下環状部６１１と、下環状部６１１から立設する複数（ここでは４つ）の縦枠６１２と、下環状部６１１の上方に配置されて下環状部６１１より小径で弁中心Ｃと同軸に設けられる上環状部６１３と、縦枠６１２の上端と上環状部６１３から弁中心Ｃに向けて延びる上枠６１４と、を有している。縦枠６１２の内側には弁体６３が配置される。上枠６１４は、弁中心Ｃ側で縦枠６１２の上端６１２ａよりも一段上方に位置するような段部６１４ａが形成されている。上環状部６１３の内側には、後述する弁体６３の弁軸６３１が上下移動可能に挿通されている。
【００３２】
弁座筒６２は、図４に示すように、弁ケース６１の下環状部６１１の下端に係合する筒状に形成されている。弁座筒６２の外周にはソケット本体１１の逆止弁収容筒１３の収容部１３１に液密に接する外周Ｏリング６２１が設けられている。弁座筒６２の上部内縁端には、弁体６３の止水リング６３２が液密に当接可能な前記弁座６２ａが設けられている。
【００３３】
弁体６３は、上方に向けて延びる弁軸６３１と、外周面に設けられ弁座６２ａに対して当接可能なＯリングからなる止水リング６３２と、を有している。弁体６３は、スプリング６４によって弁座６２ａに当接する方向に付勢されており、付勢に抗する水圧を受けたときに止水リング６３２が弁座６２ａから離反して水路を開くように構成されている。
逆止弁６は、ソケット本体１１に内蔵され、図１に示すように逆止弁内蔵ソケット１０が脚管４及び給水配管５１に接続された状態で、ハンドルレバー２１を開操作して給水配管５１からの水圧を受けると弁体６３が弁座６２ａから離反し、弁ケース６１内とソケット本体１１の下筒１４（後述する）内とが連通し、給水配管５１から水栓本体２へ水が流れる。このように弁体６３の開閉動作によって、水路が開放、遮断されるようになっている。
【００３４】
ソケット本体１１は、図３に示すように、上筒１２、逆止弁収容筒１３、及び下筒１４が、図１に示す脚管４に接続される上端（一端１１ａ）から他端（下端１１ｂ）の順に一体的に設けられている。上筒１２は脚管４に接続され、下筒１４が給水配管５１に接続される。
【００３５】
上筒１２は、逆止弁収容筒１３よりも大径のナット部１２１が連結片１２２を介して逆止弁収容筒１３の上端に設けられている。ナット部１２１の内周面には、図示しない雌ねじが形成されている。逆止弁内蔵ソケット１０は、上筒１２の雌ねじを脚管４の雄ねじ４２に螺合させることにより、脚管４に取り付けられる。
【００３６】
逆止弁収容筒１３は、第１リング部材７及び逆止弁６をそれぞれ同軸に収容する領域である。逆止弁収容筒１３、第１リング部材７、及び逆止弁６はソケット軸Ｏと同軸に配置されている。逆止弁収容筒１３の内面には、収容部１３１、円周溝１３２、収容開口部１３３（ソケット開口部）が下方からその順で配置されている。
【００３７】
図３及び図４に示すように、収容部１３１と円周溝１３２との境界部分には、滑らかに湾曲する湾曲部１３１ａが形成されている。湾曲部１３１ａは、収容部１３１の上端から円周溝１３２の溝底１３２ａに向かうに従い漸次、内径寸法が大きくなるように湾曲して延びている。
なお、収容部１３１と円周溝１３２との境界部分は、本実施形態において湾曲した形状の湾曲部１３１ａとしているが、直線状に傾斜した形状であってもよい。
【００３８】
図４に示すように、収容部１３１の内径Ｄ１は、逆止弁６の外径Ｄ０（この外径Ｄ０は、弁座筒６２に設けられる外周Ｏリング６２１に相当）と一致している。また、逆止弁収容筒１３の上端部に位置する収容開口部１３３の内径Ｄ２は、収容部１３１の内径Ｄ１よりも大径、すなわち逆止弁６の外径Ｄ０（外周Ｏリング６２１）よりも大径に形成されている。
【００３９】
収容部１３１の下端には、径方向の内側に突出するとともに全周にわたって延在する環状の受け面１３４（受け部）が設けられている。受け面１３４には、逆止弁６の下端が当接される。
【００４０】
円周溝１３２は、収容部１３１と収容開口部１３３との間の位置で全周にわたって延在し、第１リング部材７の外周部７ａが嵌合する溝形状をなしている。円周溝１３２の溝底１３２ａの内径寸法は、収容部１３１の内径Ｄ１と収容開口部１３３の内径Ｄ２よりも大きく設定されている。
すなわち、逆止弁内蔵ソケット１０の径寸法は、収容開口部１３３の内径Ｄ２、収容部１３１に収容前の逆止弁６の外周Ｏリング６２１の外径（逆止弁６の外径Ｄ０）、収容部１３１の内径Ｄ１（収容後の逆止弁６の外周Ｏリング６２１の外径）の順で小さくなっている。
【００４１】
第１リング部材７は、図６及び図８に示すように、一部が開口したＣ型リング部材であり、その開口部７ｃを縮小させるように弾性変形可能に設けられている。第１リング部材７の外周部７ａが円周溝１３２に嵌合される。第１リング部材７は、外周部７ａが円周溝１３２に嵌合した状態で、内周部７ｂがソケット軸Ｏ方向から見て収納部１３１よりも内側に張り出すように配置されている。
【００４２】
第１リング部材７における周方向の両端に位置する一対の開口部７ｃには、係止穴７１ａが形成され、リング中心側に向けて突出する凸部７１が設けられている。この係止穴７１ａは、第１リング部材７を弾性変形させる際に専用の治具（図示省略）を差し込む際に使用される。
第１リング部材７の内周部７ｂ及び凸部７１は、ソケット本体１１のソケット軸Ｏ方向から見て、逆止弁６の上枠６１４の段部６１４ａに重なった状態となる。この重なる部分の内周部７ｂ及び凸部７１によって逆止弁６の一端１１ａ側への移動が規制される。
【００４３】
第１リング部材７は、図４に示すように、逆止弁６の段部６１４ａとの間にソケット軸Ｏ方向の隙間が形成されているので、例えば逆止弁内蔵ソケット１０を脚管４に取り付ける前の状態で逆さにしても、前記隙間の範囲で逆止弁６が微動することはあっても、第１リング部材７によって一端１１ａ側への移動が規制され、逆止弁６がソケット本体１１から外れるような移動はない。
【００４４】
次に、本実施形態による水栓用の逆止弁内蔵ソケット１０の作用について説明する。
本実施形態では、図２及び図３に示すように、ソケット本体１１に逆止弁６を固定した状態で収容する際には、ソケット本体１１の収容開口部１３３から逆止弁６を逆止弁収容筒１３の収容部１３１に挿入する。このとき逆止弁６は逆止弁収容部１３の受け面１３４に載置させる。次に、図３及び図５に示すように、第１リング部材７の一対の凸部７１の係止穴７１ａ、７１ａに専用の治具を差し込んで第１リング部材７の開口部７ｃ、７ｃ同士が近接するように圧縮変形させて、円周溝１３２の位置に挿入する。そして、第１リング部材７の圧縮変形を解除することで、元の円形状態に戻って外周部７ａが円周溝１３２に嵌合される。これにより、第１リング部材７を円周溝１３２に対して上下移動が規制された状態で取り付けることができる。なお、逆止弁６を取り外す際には、取り付けるときの逆の手順により第１リング部材７を円周溝１３２から外すことで、逆止弁６をソケット本体１１から取り出すことができる。
【００４５】
このように本実施形態では、図４に示すように、ソケット本体１１に収容される逆止弁６の一端が受け面１３４で支持され、他端がソケット本体１１に装着された第１リング部材７によって支持された状態となる。つまり、本実施形態では、逆止弁内蔵ソケット１０に対して脚管４の別の給水管を接続することなく、逆止弁内蔵ソケット１０のみで第１リング部材７によって逆止弁６の両端側への移動を規制できる構成となっている。
このように逆止弁６はソケット本体１１の一端１１ａ側への移動が第１リング部材７によって規制されているので、逆止弁内蔵ソケット１０を組み付ける前の運搬時等で逆止弁６がソケット本体１１から外れて脱落することを防止できる。
【００４６】
また、本実施形態では、従来のように脚管の端部によって逆止弁を押さえる構造ではないので、逆止弁６の大きさに関わらず固定することが可能となり、例えば逆止弁６が小型化しても確実に第１リング部材７によって逆止弁６の移動を規制した状態で固定することができる。
【００４７】
また、本実施形態では、第１リング部材７の外周部７ａがソケット本体１１の円周溝１３２に嵌合することにより、第１リング部材７をソケット本体１１に固定することができる。そして、第１リング部材７の外周部７ａが円周溝１３２に嵌合した状態において、内周部７ｂの少なくとも一部が逆止弁６に重なることで逆止弁６を固定することができる。
【００４８】
さらに、本実施形態では、ソケット本体１１の一端側の収容開口部１３３の内径Ｄ２が逆止弁６の外径Ｄ０よりも大きいので、逆止弁６を収容開口部１３３からソケット本体１１内に挿入する際に、逆止弁６の外周部に設けられる止水リング６３２がソケット本体１１の収容開口部１３３に接触して損傷することを防止することができる。
【００４９】
このように本第１実施形態の水栓用の逆止弁内蔵ソケット１０によれば、逆止弁内蔵ソケット１０を脚管４に取付ける前の状態において、逆止弁６がソケット本体１１から脱落することを防止でき、かつ小型の逆止弁の場合にも確実に固定できる。
【００５０】
次に、上述した第１実施形態の他の実施形態による水栓用の逆止弁内蔵給水管について説明する。なお、上述した第１実施形態の構成要素と同一機能を有する構成要素には同一符号を付し、これらについては、説明が重複するので詳しい説明は省略する。
【００５１】
（第２実施形態）
図９〜図１１に示す第２実施形態による水栓用の逆止弁内蔵ソケット１０Ａ（逆止弁内蔵給水管）は、上述した第１リング部材７に代えて第２リング部材８（規制部材）を設けた構成のものである。ここで、逆止弁内蔵ソケット１０Ａのソケット本体１１（図３参照）及び逆止弁６は、上述した第１実施形態と同様であるので、ここでは詳しい説明は省略する。
第２リング部材８は、円周溝１３２（図１１参照）に嵌合され、かつソケット軸Ｏ方向から見て逆止弁６に重ならない外周リング８１（外周部）と、外周リング８１の内側に連結片８３を介して一体的に設けられた内周リング８２（内周部）と、を備えている。第２リング部材８は、これら外周リング８１、内周リング８２、及び連結片８３によって平面視で略渦巻状に形成されている（図１２参照）。
【００５２】
外周リング８１及び内周リング８２は、それぞれ円周方向の一部が開放された形状で、双方の周方向の一端８１ａ、８２ａ同士が連結片８３で接続されている。第２リング部材８は、図１１に示すように、外周リング８１がソケット本体１１の円周溝１３２に嵌合して取り付けられた状態で、ソケット軸Ｏ方向から見て内周リング８２が逆止弁６に重なるように配置される。
【００５３】
このように第２実施形態では、逆止弁６を固定する内周リング８２以外の外周リング８１を用いて第２リング部材８をソケット本体１１に固定することができる。外周リング８１と内周リング８２の２つのリングを別々に設けることで、逆止弁６に重なる領域を小さくすることができる。そのため、逆止弁６を通過する水の流路面積が第２リング部材８によって減少することを抑えることができる。
【００５４】
以上、本発明による水栓用の逆止弁内蔵給水管の実施形態について説明したが、本発明は上記の実施形態に限定されるものではなく、その趣旨を逸脱しない範囲で適宜変更可能である。
【００５５】
例えば、規制部材として第１実施形態では、Ｃリング形状の第１リング部材７を採用し、第２実施形態では外周リング８１と内周リング８２が連結片８３で接続された構成の第２リング部材８を採用し、それぞれソケット本体１１の円周溝１３２に嵌合させる構成としているが、このような構成であることに制限されることはない。
【００５６】
また、本実施形態では、ソケット本体１１の一端側の収容開口部１３３の内径Ｄ２が逆止弁６の外径Ｄ０よりも大きい構成としているが、逆止弁６がソケット本体１１の収容部１３１に挿入して収容できればよいので、収容開口部１３３と逆止弁６の外径Ｄ０（収容部１３１の内径Ｄ１も同様）とが同じ寸法であってもかまわない。
【００５７】
さらに、水栓１の構成、すなわち水栓本体２、カバー２０、サプライ管３、脚管４の形状、大きさ等の構成、またカウンター５の構成についても上述した実施形態に限定されることはなく、適宜な構成のものを採用することができる。
【００５８】
また、本実施形態では、逆止弁内蔵給水管として、ソケットを対象とした逆止弁内蔵ソケット１０を適用しているが、ソケット形状のものに限定されることはなく、通常の給水管において内部に着脱可能に逆止弁が設けられる構成であってもかまわない。
【００５９】
その他、本発明の趣旨を逸脱しない範囲で、上記した実施形態における構成要素を周知の構成要素に置き換えることは適宜可能である。
【符号の説明】
【００６０】
１  水栓
２  水栓本体
３  サプライ管
４  脚管
５  カウンター（被固定部）
５ａ  据え付け面
６  逆止弁
７  第１リング部材（規制部材）
７ａ  外周部
７ｂ  内周部
８  第２リング部材（規制部材）
１０、１０Ａ  逆止弁内蔵ソケット（逆止弁内蔵給水管）
１１  ソケット本体（管本体）
１２  上筒
１３  逆止弁収容筒
１４  下筒
５０  底板
５１  給水配管
８１  外周リング（外周部）
８２  内周リング（内周部）
８３  連結片
１３１  収容部
１３２  円周溝
１３３  収容開口部（ソケット開口部）
１３４  受け面（受け部）
６２１  外周Ｏリング（Ｏリング）
Ｏ  ソケット軸（管軸）
Ｃ  弁中心
【図１】
2020007790.tif 000003
【図２】
2020007790.tif 000004
【図３】
2020007790.tif 000005
【図４】
2020007790.tif 000006
【図５】
2020007790.tif 000007
【図６】
2020007790.tif 000008
【図７】
2020007790.tif 000009
【図８】
2020007790.tif 000010
【図９】
2020007790.tif 000011
【図１０】
2020007790.tif 000012
【図１１】
2020007790.tif 000013
【図１２】
2020007790.tif 000014